(57)【要約】      （修正有）【課題】自転車に道具や工具等を一切使用しないで設置でき、取り外し・折り畳み・収納しハンドルの操作性が損なわれない、雨天時の自転車用雨よけ具（クリアシェード）を提供する。【解決手段】Ｘ字状と平行状のアーチ型フレームに透明シートを四面張り付け、フレームの四隅にワンタッチ式ソケット２を有し、折り畳み式のクリアシェード１を構成する。前カゴを自転車本体フレームに、取付け金具３で設置することにより、前カゴとハンドル操作が切り離される。自転車の前カゴ左右と荷台後部の左右にワンタッチソケットと収納ケース４を設ける。【選択図】図１
0003228573.tif 000002
【実用新案登録請求の範囲】
【請求項１】
２本のＸ字状に組むフレーム（１Ｅ）と、２本の平行状フレーム（１Ｆ）で構成されドーム型を形成する状態に、透明シートで前方面（１Ａ）及び、左右測面（１Ｂ）（１Ｃ）と後方面（１Ｄ）を覆う。フレーム先端の４か所にワンタッチ式ソケット（２Ａ）（２Ｂ）を配置する。
上記を構成する自転車用雨よけ具を、クリアシェードと名付ける。
【請求項２】
自転車の前方２箇所と後方２箇所に、ワンタッチ式ソケット（２Ａ）（２Ｂ）配置する。自転車と折り畳み式のクリアシェードを、ワンタッチ式ソケット（２Ａ）（２Ｂ）で着脱する。収納ケースを自転車に有し、装着と収納を簡素化したところを特徴とするクリアシェード。
【考案の詳細な説明】
【技術分野】
【０００１】  本発明は、雨天時にクリアシェードを自転車に設置図１に示すと、収納するまでに関するものである。
【背景技術】
【０００２】  雨天時に自転車を使用する時、道路交通法改正後傘を差しての片手運転が出来なくなり、近年レインコート等の雨具を着用することが一般的となった。雨具を着用すると、通気性が悪いため発汗して蒸れる。そのため、不快な状態で自転車を運転することになる。
そこで雨よけ対策として、ルーフ型やアーチ型の屋根を取り付けるものがある。
（特許文献１・２参照）
【先行技術文献】
【特許文献】
【０００３】
【特許文献１】特開２０１７−０３６０２２号公報
【特許文献２】特開２０１１−１５７０５７号公報
【考案の概要】
【考案が解決しようとする課題】
【０００４】    特許文献１の先行技術は、エアーチューブに空気を入れるため、空気入れが必要となる。そのため、空気入れをと折り畳んだ透明防水シートを持ち運ばないといけない。また手動式の空気入れでは、空気の注入に時間がかかる。さらに、屋根型の雨よけをハンドル部に装着することで、ハンドルの操作性が損なわれるなどの問題がある。【０００５】  特許文献２の先行技術は、ルーフの取り付け及び解体に時間がかかることや、ボルトを使用することから、工具が必要となる。また特許文献１同様、解体したルーフと工具を持ち運ばないといけない。籠部にルーフを装着することで、著しくハンドルの操作性が損なわれるなどの問題がある。
【課題を解決するための手段】
【０００６】  クリアシェードは、テント型のサンシェードをモチーフにした図２に示すグラスファイバー等（材質）のフレーム１Ｅに、透明シート１Ａ・１Ｂ・１Ｃ・１Ｄを張り付けた構成である。また折り畳み式で、図３に示すようにフレームの四隅にワンタッチ式ソケット２Ａ・２Ｂを有する。
本発明は、図１に示すようにクリアシェードを自転車に設置し、雨天時に運転者の防水を確保することで、自転車の快適な運転が出来ることを目的としている。また自転車とクリアシェードの着脱が短時間である。クリアシェードが瞬時に開き、簡単に収納出来ることが最も主要な特徴である。【０００７】  クリアシェードの透明シート部分は、図２に示す自転車前方部面１Ａと両側上部面１Ｂ・１Ｃをほぼ全面で、後方面１Ｄは上部に透明シートを張り、下部側は解放部を多く取り通気性を確保する構成である。
図３に示すように自転車の前カゴの前部左右の位置と、荷台後部の左右の位置にワンタッチ式ソケット２Ａ・２Ｂを設置する。
自転車のハンドルは、１８０度超える可動範囲で前カゴも同様に動く。このまま前カゴにクリアシェードを設置すると、運転の操作性が損なわれクリアシェードにも負担がかかる。そこで前カゴを自転車から一旦取り外す。図１の３の位置に図４に示す取付け金具を、３ａの箇所で自転車本体フレームに接続し前カゴを取り付ける。
折り畳んだクリアシェードを収納するため、図１の４に示す位置に自転車の後輪側部に収納ケース（施錠式）を設置する。
【実施の説明１】
【０００８】  設置方法
クリアシェードを自転車装着の収納ケースから取り出す。折り畳まれたクリアシェードを開く。
自転車側の４カ所のワンタッチ式ソケットに、クリアシェードのワンタッチ式ソケットをつなぎ合わせる。
【実施の説明２】
【０００９】  取り外し方法
自転車とクリアシェードをつなぐ、４カ所のワンタッチ式ソケットを取り外す。クリアシェードを折り畳みながら、自転車装着の収納ケースに収納する。
【考案の効果】
【００１０】  雨天時にクリアシェードを取り出し、クリアシェードを開き自転車に設置するまでの時間が短い。
自転車に設置したクリアシェードの前面部は、斜面になるため空気抵抗が少なく走行に支障が無い。またクリアシェードのシート部は、透明な素材を使用しているため運転時の視界を遮ることも無い。
レインコート等の雨具を着用することが無いため、蒸れることがなく自転車の快適な運転が出来る。
自転車からクリアシェードを取り外し、折り畳み収納するまでの時間が短い。
クリアシェードの脱着や折り畳みに道具や工具を使用しない。
【００１１】  自転車本体フレーム側に前カゴを付け替えたことで、前カゴがハンドル操作と切り離され、クリアシェードを設置してもハンドルの操作性を確保出来た。
クリアシェードを自転車に収納出来ることで、持ち運ぶ必要が無い。また、急な雨にも対応出来る。
一般的な自転車は、買い物や通勤・通学等の使用目的が多く、雨天時の目的地までの道のりに雨具による蒸れと、到着後濡れた雨具の保管方法。さらに、帰宅時に濡れたままの雨具を着ないといけないこと等の問題点から、本発明は上記の効果が問題解決できる大きな利点である。
【図面の簡単な説明】
【００１２】
【図１】図１は、クリアシェードの設置を示した説明図である。
【図２】図２は、クリアシェードの説明図である。
【図３】図３はクリアシェードと、自転車側のワンタッチ式ソケットを示した説明図である。（実施の説明１）
【図４】図４は、前カゴを自転車本体フレームに設置する取付け金具を示した説明図である。
【図５】図５は、クリアシェードの折り畳み方法を示した説明図である。（実施の説明２）
【図６】図６はクリアシェードを収納ボックスに装着すると、クリアシェードの収納状態を示した説明図である。（実施の説明２）
【考案を実施するための形態】
【００１３】  ワンタッチ式ソケットの脱着方法は、図３に示す２Ａａ部の側面を持ち押し出しながら凸部２Ｂを凹部２Ａに差し込む。２Ａａ部を元に戻すと、凸部２Ｂがロックされ接続状態となる。取り外す時は、２Ａａ部を押し出しながら凸部２Ｂを抜く。
【００１４】  クリアシェードの折り畳み方は、図５の１示すようにクリアシェードを上下反転させる。左右のフレームを重ね丸く１ａに形成する。更に丸く１ｂに形成する。
【００１５】  図６に示す４ａ収納ケースの蓋を開け、クリアシェード１ｃのようにワンタッチ式ソケットを４ｂの底面部に装着し、蓋４ａを閉じて収納状態４ｄで鍵部４ｃを施錠する。蓋４ａはプラスチック製で、収納ケース下部４ｂはカゴ状になっている。収納ケースは、自転車の後輪右側部に設置。
【符号の説明】１  クリアシェード
２  ワンタッチソケット
３  取付け金具
４  収納ボックス
【図１】
0003228573.tif 000003
【図２】
0003228573.tif 000004
【図３】
0003228573.tif 000005
【図４】
0003228573.tif 000006
【図５】
0003228573.tif 000007
【図６】
0003228573.tif 000008
【手続補正書】
【提出日】令和2年3月16日(2020.3.16)
【手続補正１】
【補正対象書類名】実用新案登録請求の範囲
【補正対象項目名】全文
【補正方法】変更
【補正の内容】
【実用新案登録請求の範囲】
【請求項１】
「自転車の上部前方から後方に展開する透明シートにおいて、
（１）前カゴ右側から運転席上部を通り後ろ荷台左右部と前カゴ左側から運転席上部を通り後ろ荷台左右部へ展開するフレームに透明シートでアーチ型を形成し、
（２）前カゴ左右部及び後ろ荷台左右部との脱着用に透明シートを張り付けたフレームの四隅部にワンタッチ式ソケットを有し、
（３）降り注ぐ雨から運転者をカバーし、
（４）折り畳み収納ボックスに収納できる、
以上の（１）〜（４）の構成からなるクリアシェード。」
【請求項２】
「透明シートが自転車運転時の雨よけとして最適の範囲に展開し、自転車との脱着にワンタッチ式ソケットを活用して、透明シートの展開と折り畳み収納するまでが短時間で容易であるところを特徴とするクリアシェード。」
【手続補正書】
【提出日】令和2年7月2日(2020.7.2)
【手続補正１】
【補正対象書類名】実用新案登録請求の範囲
【補正対象項目名】全文
【補正方法】変更
【補正の内容】
【実用新案登録請求の範囲】
【請求項１】
自転車の上部前方から後方に展開する透明シートにおいて、
（１）前カゴ前部左右から後方荷台後部左右にかけてアーチ型を形成したフレームに透明シートを有し、
（２）フレーム四隅と自転車との脱着用にワンタッチソケットを有し、
（３）降り注ぐ雨から運転者を広範囲にカバーし、
（４）折り畳み収納される
以上の（１）〜（４）の構成からなるクリアシェード。
【請求項２】
フレーム付き透明シートが展開され着脱と収納が容易であるところを特徴とする請求項１記載のクリアシェード。